(57)【要約】【課題】通勤等の移動時に音響コンテンツを再生させる場合に、移動時間や移動手段に合わせて再生する音響コンテンツの種類や再生時間を制御する。【解決手段】ユーザの移動に要する時間である移動時間を特定する再生条件設定部１２０と、この再生条件設定部１２０により特定された移動時間と通常再生した際に要する時間である通常再生時間との差分が予め定められた第１範囲内であるコンテンツを取得するコンテンツ取得部１３０と、このコンテンツ取得部１３０により取得されたコンテンツを再生し、移動時間とコンテンツの再生時間との差分が第１範囲よりも小さい予め定められた第２範囲内となるようにコンテンツの再生を制御する再生制御部１４０と、を備える。【選択図】図２
2020085929.tif 000002
【特許請求の範囲】
【請求項１】
ユーザの移動に要する時間である移動時間を特定する移動時間特定手段と、
前記移動時間特定手段により特定された前記移動時間と通常再生した際に要する時間である通常再生時間との差分が予め定められた第１範囲内であるコンテンツを取得するコンテンツ取得手段と、
前記コンテンツ取得手段により取得された前記コンテンツを再生し、前記移動時間と当該コンテンツの再生時間との差分が前記第１範囲よりも小さい予め定められた第２範囲内となるように当該コンテンツの再生を制御する再生制御手段と、
を備えることを特徴とする、コンテンツ再生システム。
【請求項２】
前記再生制御手段により制御された前記コンテンツの再生時間が前記移動時間特定手段により特定された前記移動時間よりも短くなるように、前記第２範囲が設定されることを特徴とする、請求項１に記載のコンテンツ再生システム。
【請求項３】
前記再生制御手段は、前記コンテンツの再生の制御として、当該コンテンツの再生速度を変更することを特徴とする、請求項１または請求項２に記載のコンテンツ再生システム。
【請求項４】
前記再生制御手段は、前記コンテンツの再生の制御として、当該コンテンツにおける無音区間の長さを変更することを特徴とする、請求項１または請求項２に記載のコンテンツ再生システム。
【請求項５】
前記再生制御手段は、前記コンテンツの再生の制御として、当該コンテンツにおける有音区間の一部を削除することを特徴とする、請求項１または請求項２に記載のコンテンツ再生システム。
【請求項６】
コンピュータに、
ユーザの移動に要する時間である移動時間を特定する機能と、
前記移動時間と通常再生した際に要する時間である通常再生時間との差分が予め定められた第１範囲内であるコンテンツを取得する機能と、
取得された前記コンテンツを再生し、前記移動時間と当該コンテンツの再生時間との差分が前記第１範囲よりも小さい予め定められた第２範囲内となるように当該コンテンツの再生を制御する機能と、
を実現させることを特徴とする、プログラム。
【発明の詳細な説明】
【技術分野】
【０００１】
本発明は、コンテンツ再生システムおよびプログラムに関する。
【背景技術】
【０００２】
音響データを含むコンテンツ（以下、音響コンテンツ）を再生する際に、ユーザの状況等に応じて音響コンテンツの再生時間が制限される場合がある。このような場合、制限された再生時間に応じた長さの音響コンテンツを選択して再生することが要請される場合がある。
【０００３】
特許文献１には、設定された持続時間または可変持続時間中にコンテンツを消費しコンテンツアイテムの一部分が、ユーザがコンテンツを消費する、設定された持続時間内に伝送されるコンテンツペーシングサービスが開示される。特に、コンテンツアイテム内の標点が、ユーザのコンテンツ消費の持続時間が終わる前後に到達されるように、コンテンツが伝送されるレートが増加または減少されることが開示されている。
【先行技術文献】
【特許文献】
【０００４】
【特許文献１】特表２０１５−５３０７６９号公報
【発明の概要】
【発明が解決しようとする課題】
【０００５】
ユーザの状況等に応じて音響コンテンツの再生時間が制限され、その制限時間の長さが様々である場合、常に適当な長さの音響コンテンツがあるとは限らない。例えば、通勤時間や通勤中の電車に乗っている時間に合わせて音響コンテンツを再生しようとする場合、通勤時間や電車に乗っている時間は経路によってまちまちであり、また日々微妙に変化するので、再生時間が通勤時間や電車に乗っている時間に対応する音響コンテンツが取得できない場合がある。
【０００６】
本発明は、通勤等の移動時に音響コンテンツを再生させる場合に、移動時間や移動手段に合わせて再生する音響コンテンツの種類や再生時間を制御することを目的とする。
【課題を解決するための手段】
【０００７】
上記の目的を達成する本発明は、ユーザの移動に要する時間である移動時間を特定する移動時間特定手段と、この移動時間特定手段により特定された移動時間と通常再生した際に要する時間である通常再生時間との差分が予め定められた第１範囲内であるコンテンツを取得するコンテンツ取得手段と、このコンテンツ取得手段により取得されたコンテンツを再生し、移動時間とコンテンツの再生時間との差分が第１範囲よりも小さい予め定められた第２範囲内となるようにコンテンツの再生を制御する再生制御手段と、を備えることを特徴とする。
より詳細には、再生制御手段により制御されたコンテンツの再生時間が移動時間特定手段により特定された移動時間よりも短くなるように、第２範囲が設定される。
また、好ましくは、再生制御手段は、コンテンツの再生の制御として、コンテンツの再生速度を変更し、または、コンテンツにおける無音区間の長さを変更し、または、コンテンツにおける有音区間の一部を削除する。
本発明は、コンピュータを制御して上述したシステムの各機能を実現するプログラム、またはコンピュータに上記の方法における各ステップに対応する処理を実行させるプログラムとしても実現される。このプログラムは、磁気ディスクや光ディスク、半導体メモリ、その他の記録媒体に格納して配布したり、ネットワークを介して配信したりすることにより、提供することができる。
【発明の効果】
【０００８】
本発明によれば、通勤等の移動時に音響コンテンツを再生させる場合に、移動時間や移動手段に合わせて再生する音響コンテンツの種類や再生時間を制御することができる。
【図面の簡単な説明】
【０００９】
【図１】本実施形態によるコンテンツ再生システムの全体構成を示す図である。
【図２】端末装置の機能構成を示す図である。
【図３】コンテンツサーバの機能構成を示す図である。
【図４】再生条件として設定された時間と音響コンテンツの再生時間との関係を示す図であり、図４（Ａ）は、第１範囲を示す図であり、図４（Ｂ）は、第１範囲と第２範囲の例を示す図であり、図４（Ｃ）は、第１範囲と第２範囲の他の例を示す図である。
【図５】端末装置による音響コンテンツ取得時の動作を示すフローチャートである。
【図６】音響コンテンツを取得する際の操作画面の例を示す図であり、図６（Ａ）は、音響コンテンツの取得要求を行う際の操作画面の例を示す図であり、図６（Ｂ）は、リストから音響コンテンツを選択する際の操作画面の例を示す図である。
【図７】端末装置による音響コンテンツ再生時の動作を示すフローチャートである。
【発明を実施するための形態】
【００１０】
以下、添付図面を参照して、本発明の実施の形態について詳細に説明する。
＜システム構成＞
図１は、本実施形態によるコンテンツ再生システムの全体構成を示す図である。コンテンツ再生システムは、端末装置１００と、コンテンツサーバ２００とを備える。端末装置１００とコンテンツサーバ２００とは、ネットワーク３００を介して接続されている。端末装置１００は、音響コンテンツを再生するデータ処理装置である。本実施形態において音響コンテンツとは、音響データを含むコンテンツであり、音響データと共に動画データや静止画データを有するコンテンツであっても良い。コンテンツサーバ２００は、音響コンテンツを管理し、端末装置１００からの要求に応じて提供するサーバである。
【００１１】
ネットワーク３００は、各装置の間のデータ通信に用いられる通信ネットワークであれば、その種類は特に限定されず、例えばＬＡＮ（Local Area Network）、ＷＡＮ（Wide Area Network）、インターネット等として良い。データ通信に用いられる通信回線は、有線か無線かを問わず、これらを併用しても良い。また、ゲートウェイ装置やルータ等の中継装置を用い、複数のネットワークや通信回線を介して各装置を接続するように構成しても良い。
【００１２】
＜端末装置の構成＞
端末装置１００は、コンテンツサーバ２００から音響コンテンツを取得して再生する装置である。端末装置１００は、ネットワーク３００を介してコンテンツサーバ２００とデータ交換することが可能な種々の情報機器により実現される。例えばパーソナル・コンピュータ（ＰＣ）、タブレット型端末やスマートフォン等の携帯型情報機器などであっても良いし、専用端末であっても良い。
【００１３】
図２は、端末装置１００の機能構成を示す図である。端末装置１００は、コンテンツ選択部１１０と、再生条件設定部１２０と、コンテンツ取得部１３０と、再生制御部１４０と、音響出力部１４１と、表示部１５０と、操作受け付け部１６０と、通信部１７０とを備える。
【００１４】
コンテンツ選択部１１０は、ユーザによる音響コンテンツの選択を受け付ける。コンテンツ選択部１１０は、表示部１５０にコンテンツ選択画面を表示させ、ユーザの選択操作を受け付けて、取得対象の音響コンテンツ（再生しようとする音響コンテンツ）またはその種別を特定する。ここで、音響コンテンツの種別は、コンテンツサーバ２００における音響コンテンツの管理で用いられる分類に対応する。音響コンテンツの種別は、例えば、楽曲か音声コンテンツか環境音かといった大まかな分類に基づく種別であっても良い。楽曲であれば、クラシックやポップスといった音楽の種類、作曲者、演奏者、楽曲名等の分類に基づく種別を含んでも良い。音声コンテンツであれば、朗読やスピーチといったコンテンツの種類、物語や報道コンテンツといった内容に基づく分類、話者、タイトル、タイトルに含まれる特定の語（キーワード）による分類等に基づく種別を含んでも良い。
【００１５】
再生条件設定部１２０は、音響コンテンツの再生条件を設定する。再生条件とは、具体的には、音響コンテンツを再生する時間を特定する条件である。再生条件設定部１２０は、ユーザが移動に要する時間（移動時間）を特定する情報の入力を受け付け、入力情報に基づいて特定される移動時間を再生条件として設定する。すなわち、再生条件設定部１２０は、移動時間特定手段の一例である。移動時間を特定する情報としては、例えば、移動経路、移動手段（徒歩か乗り物を利用するか、利用する乗り物の種類、乗り物を利用する区間等）、移動する時間帯等が挙げられる。設定された再生条件は、例えば、端末装置１００に設けられた記憶装置（磁気ディスク装置や不揮発性メモリ等）に保持される。移動経路や移動手段等の入力情報に基づく再生条件（移動時間）の特定には、外部のウェブサービス等を利用しても良い。
【００１６】
コンテンツ取得部１３０は、コンテンツ選択部１１０で特定された音響コンテンツの種別および再生条件設定部１２０で設定された再生条件に該当する音響コンテンツをコンテンツサーバ２００から取得する。コンテンツ取得部１３０は、まず、音響コンテンツの種別の情報および再生条件をコンテンツサーバ２００へ送信し、これらの情報に対応する音響コンテンツの情報（例えばリスト）をコンテンツサーバ２００から取得する。これらの情報に対応する音響コンテンツとは、通常再生した際の長さ（時間）と再生条件との差分が一定時間（第１範囲）以内であるような音響コンテンツである。コンテンツ取得部１３０は、コンテンツサーバ２００から受信した音響コンテンツの情報をユーザに提示し、ユーザによる選択を受け付ける。そして、コンテンツ取得部１３０は、ユーザにより選択された音響コンテンツをコンテンツサーバ２００から取得する。
【００１７】
再生制御部１４０は、コンテンツ取得部１３０により取得された音響コンテンツを再生する。また、再生制御部１４０は、取得した音響コンテンツの長さ（通常再生した際の再生時間）と再生条件設定部１２０で設定された再生条件とに基づき、音響コンテンツの再生時間が再生条件により要請される時間に対して一定の時間（第２範囲）以内となるように、音響コンテンツの再生時間を制御する。具体的な再生時間の制御方法としては、再生制御部１４０は、例えば、音響コンテンツの再生速度を変更しても良い。また、再生制御部１４０は、音響コンテンツの無音区間（音声や楽曲等の音が収録されていない区間）を短縮したり伸張したりしても良い。さらに、再生制御部１４０は、音響コンテンツの有音区間（音声や楽曲等の音が収録されている区間）を部分的に飛ばすことで再生時間を短縮しても良い。その他、再生時間の制御方法として、音響コンテンツの再生時間を変化させ得る既存の種々の手法を適用して良い。いずれの制御方法を用いるかは、ユーザが選択しても良い。また、これらの制御方法を、予め設定されたまたはユーザにより設定された割合で混在させて用いても良い。
【００１８】
音響出力部１４１は、再生制御部１４０により再生された音響コンテンツの音響出力を行う。音響出力部１４１は、例えば、端末装置１００の内蔵スピーカにより実現される。また、音響出力部１４１を、ライン出力機構として構成し、外部スピーカやヘッドホン等を接続して音響出力を行うようにしても良い。
【００１９】
表示部１５０は、コンテンツ取得部１３０によりコンテンツサーバ２００から取得された音響コンテンツの情報（例えばリスト）やその他の種々の情報を表示する情報表示画面と、上記の各機能に対する実行指示の入力や設定の操作を受け付ける操作画面とを表示する装置である。表示部１５０は、例えば、液晶ディスプレイ等のディスプレイ装置により実現される。
【００２０】
操作受け付け部１６０は、表示部１５０に表示された操作画面に基づいてユーザが行う操作を受け付ける。操作受け付け部１６０は、ユーザによる操作デバイスに対する操作を受け付ける。操作デバイスとしては、例えば、マウス等のポインティング・デバイス、キーボード、タッチパネル等の既存の各種のデバイスを用いて良い。
【００２１】
通信部１７０は、ネットワーク３００を介してコンテンツサーバ２００に接続するためのネットワーク・インターフェイスである。通信部１７０としては、利用可能なネットワークへの接続回線の種類に応じて、無線通信機や有線によるインターフェイスが用いられる。
【００２２】
端末装置１００は、データ処理および装置制御を行う処理装置を備える。処理装置は、例えば、ＣＰＵ、ＲＯＭ（Read Only Memory）および作業メモリであるＲＡＭにより実現される。ＲＯＭには端末装置１００の動作を制御するためのプログラムが記憶されており、ＣＰＵはＲＯＭからプログラムを読み込んで実行することにより各種の動作制御や処理を実行する。コンテンツ選択部１１０、再生条件設定部１２０、コンテンツ取得部１３０および再生制御部１４０の各機能は、この処理装置により実現される。
【００２３】
＜コンテンツサーバの構成＞
コンテンツサーバ２００は、音響コンテンツを管理し、端末装置１００に提供するサーバである。コンテンツサーバ２００は、ネットワーク３００に接続された単体のサーバマシンにより実現しても良いし、ネットワーク３００上に設けられた複数のサーバに機能を分散させた、いわゆるクラウド・サーバとして実現しても良い。
【００２４】
図３は、コンテンツサーバ２００の機能構成を示す図である。コンテンツサーバ２００は、通信制御部２１０と、コンテンツ保持部２２０と、コンテンツ管理部２３０と、コンテンツ配信制御部２４０と、通信部２５０とを備える。
【００２５】
通信制御部２１０は、端末装置１００との間の通信を制御する。通信制御部２１０は、端末装置１００から音響コンテンツの種別の情報および再生条件と、音響コンテンツの要求とを受信する。また、通信制御部２１０は、端末装置１００に対して音響コンテンツの情報（例えばリスト）や音響コンテンツを送信する。
【００２６】
コンテンツ保持部２２０は、音響コンテンツを保持する。コンテンツ保持部２２０により保持される音響コンテンツは、楽曲、音声コンテンツ、環境音等の様々な種類の音響データを含んで良い。
【００２７】
コンテンツ管理部２３０は、コンテンツ保持部２２０に保持されている音響コンテンツを分類して管理する。音響コンテンツの分類は、端末装置１００のコンテンツ選択部１１０により選択される音響コンテンツの種別に対応している。また、コンテンツ管理部２３０は、各音響コンテンツを通常再生した場合の再生時間の情報を管理する。
【００２８】
コンテンツ配信制御部２４０は、端末装置１００からの要求に応じて、要求された条件に対応する音響コンテンツの情報（例えばリスト）を端末装置１００へ返送する。すなわち、端末装置１００から受信した音響コンテンツの種別の情報および再生条件に基づき、要求された種別に属し、通常再生した場合の長さ（再生時間）と再生条件の移動時間との差分が第１範囲以内である音響コンテンツの情報（例えばリスト）を抽出する。また、コンテンツ配信制御部２４０は、端末装置１００からの要求に応じて、指定された音響コンテンツをコンテンツ保持部２２０から読み出し、端末装置１００へ返送する。
【００２９】
通信部２５０は、ネットワーク３００を介して端末装置１００に接続するためのネットワーク・インターフェイスである。通信部２５０としては、利用可能なネットワークへの接続回線の種類に応じたインターフェイスが用いられる。
【００３０】
＜音響コンテンツの再生制御＞
音響コンテンツの再生制御について、さらに説明する。本実施形態において、端末装置１００は、再生条件として音響コンテンツを再生しようとする時間（ユーザの移動時間）を設定し、この再生条件として設定された時間と通常再生した場合の長さ（再生時間）との差分が第１範囲以内であるコンテンツを再生対象として取得する。そして、端末装置１００は、音響コンテンツの再生時間が再生条件として設定された時間に対して第２範囲以内となるように制御しながら音響コンテンツを再生する。
【００３１】
図４は、再生条件として設定された時間と音響コンテンツの再生時間との関係を示す図である。図４（Ａ）は、第１範囲を示す図であり、図４（Ｂ）は、第１範囲と第２範囲の例を示す図であり、図４（Ｃ）は、第１範囲と第２範囲の他の例を示す図である。図４において、再生条件として設定された時間をＬ０とし、時間Ｌ０の開始位置をＴ１、終了位置をＴ２とする。また、第１範囲をＤ１、第２範囲をＤ２とする。
【００３２】
図４（Ａ）に示すように、第１範囲Ｄ１は、再生条件の時間Ｌ０よりも長い方向（Ｔ２に対してプラス方向（図の右方向））と、再生条件の時間Ｌ０よりも短い方向（Ｔ２に対してマイナス方向（図の左方向））の双方に対して設定される。したがって、再生条件に対応する音響コンテンツは、長さＬ０＋Ｄ１から長さＬ０−Ｄ１の音響コンテンツである。図４（Ａ）に示す例において、音響コンテンツＣ１の通常再生時の長さＣＬ１は、ＣＬ１＝Ｌ０＋Ｄ１であり、音響コンテンツＣ１の長さＣＬ１と再生条件の時間Ｌ０との差分Ｄは、Ｄ＝Ｄ１である。また、音響コンテンツＣ２の通常再生時の長さＣＬ２は、ＣＬ２＝Ｌ０−Ｄ１であり、音響コンテンツＣ２の長さＣＬ２と再生条件の時間Ｌ０との差分Ｄは、Ｄ＝−Ｄ１である。
【００３３】
上記のように、第１範囲Ｄ１は、マイナス方向とプラス方向の双方に対して設定されているが、第２範囲Ｄ２は、再生条件の時間Ｌ０の終了位置Ｔ２に対してマイナス方向のみに対して設定される。したがって、再生制御部１４０により制御された音響コンテンツの再生時間ＬＰは、Ｌ０−Ｄ２≦ＬＰ＜Ｌ０である。
【００３４】
図４（Ｂ）に示すように、音響コンテンツＣ１の通常再生時の長さＣＬ１は、ＣＬ１＝Ｌ０＋Ｄ１であるので、再生制御部１４０は、音響コンテンツＣ１の再生時間がＬ０−Ｄ２〜Ｌ０の範囲に収まるように制御して音響コンテンツＣ１を再生する。言い換えれば、再生制御部１４０は、音響コンテンツＣ１の再生時間をＤ１〜Ｄ１＋Ｄ２だけ短縮させて再生する。
【００３５】
図４（Ｃ）に示すように、音響コンテンツＣ２の通常再生時の長さＣＬ２は、ＣＬ２＝Ｌ０−Ｄ１であるので、再生制御部１４０は、音響コンテンツＣ１の再生時間がＬ０−Ｄ２〜Ｌ０の範囲に収まるように制御して音響コンテンツＣ２を再生する。言い換えれば、再生制御部１４０は、音響コンテンツＣ２の再生時間をＤ１−Ｄ２〜Ｄ１だけ伸張させて再生する。
【００３６】
第１範囲Ｄ１および第２範囲Ｄ２の具体的な値は特に制限されないが、人の心理的な影響を考慮した評価により設定しても良い。例えば、第２範囲Ｄ２は、音響コンテンツの再生終了後、時間が余り過ぎと感じない程度に設定される。一例として、第２範囲Ｄ２を１分程度に設定し得る。また、第１範囲Ｄ１は、再生時の長さと再生条件の時間Ｌ０との差分が第２範囲Ｄ２以内となるように制御して再生しても違和感を感じない程度に設定される。一例として、第１範囲Ｄ１を、再生条件の時間Ｌ０に対して＋１０分〜−１０分程度に設定し得る。なお、このような心理的な影響に基づく評価は、個人差があるので、ユーザ自身が設定するようにしても良い。
【００３７】
また、音響コンテンツの種類によって、適当な第１範囲Ｄ１は異なる。例えば、朗読やスピーチ等の音声コンテンツであれば、発話区間と発話されていない無音区間の差異が明確であり、無音区間の長さが大きく変化してもあまり違和感を生じないと考えられる。したがって、第１範囲Ｄ１を広く取ることができる。一方、楽曲等では、無音区間が少なく、また無音区間の長さを変更したり、再生速度を変化させたりすると、違和感を生じやすいと考えられる。したがって、曲と曲の合間等の長さを調整する程度の制御しかできないため、第１範囲Ｄ１の取り得る幅は狭くなる。
【００３８】
＜端末装置の音響コンテンツ取得時の動作＞
図５は、端末装置１００による音響コンテンツ取得時の動作を示すフローチャートである。端末装置１００は、表示部１５０に操作画面を表示し、音響コンテンツの取得条件の入力を受け付ける（Ｓ５０１）。取得条件としては、再生しようとする音響コンテンツの種別の情報（音響コンテンツの分類に用いられる情報）および再生条件（ユーザの移動時間）が入力される。端末装置１００のコンテンツ取得部１３０は、入力された取得条件と共に、音響コンテンツの取得要求をコンテンツサーバ２００へ送信する（Ｓ５０２）。
【００３９】
コンテンツサーバ２００は、端末装置１００から音響コンテンツの取得要求を受信すると、コンテンツ配信制御部２４０が、要求と共に受信した取得条件に基づき、通常再生した場合の長さ（再生時間）と再生条件の移動時間との差分が第１範囲以内である音響コンテンツのリストを作成し、端末装置１００へ返送する。端末装置１００は、コンテンツサーバ２００から音響コンテンツのリストを受信すると、このリストを含む操作画面を表示部１５０に表示する（Ｓ５０３、Ｓ５０４）。ユーザは、表示部１５０に表示されたリストを参照し、再生する音響コンテンツを選択することができる。
【００４０】
コンテンツ取得部１３０は、ユーザによる音響コンテンツの選択を受け付けると（Ｓ５０５）。選択された音響コンテンツの情報をコンテンツサーバ２００へ送信する（Ｓ５０６）。これに応じて、コンテンツサーバ２００は、選択された音響コンテンツをコンテンツ保持部２２０から読み出して端末装置１００へ送信する。端末装置１００のコンテンツ取得部１３０は、コンテンツサーバ２００から送信された音響コンテンツを受信して記憶装置に保持する（Ｓ５０７）。
【００４１】
＜操作画面の例＞
図６は、音響コンテンツを取得する際の操作画面の例を示す図である。図６（Ａ）は、音響コンテンツの取得要求を行う際の操作画面の例を示す図であり、図６（Ｂ）は、リストから音響コンテンツを選択する際の操作画面の例を示す図である。
【００４２】
音響コンテンツの取得要求を行う際に取得条件を入力するための操作画面１５１は、図６（Ａ）に示すように、条件表示部１５１ａと、決定ボタン１５１ｂと、終了ボタン１５１ｃとを有する。条件表示部１５１ａには、ユーザが操作デバイスを操作して入力した取得条件が表示される。図６（Ａ）に示す例では、ユーザの識別情報（図では「ユーザ」と表記された欄）と、音響コンテンツの識別情報（図では「コンテンツ」と表記された欄）と、再生条件（図では「再生時間」と表記された欄）が入力された取得条件として表示される。
【００４３】
音響コンテンツの識別情報は、特定の音響コンテンツを指定する情報でも良いし、音響コンテンツの種類等の分類を特定する情報であっても良い。音響コンテンツの識別情報を入力する際には、例えば、コンテンツサーバ２００のコンテンツ管理部２３０による分類に対応する分類リストをプルダウンメニュー等で表示し、表示された分類リストからユーザが特定の分類を選択するようにしても良い。
【００４４】
再生条件は、入力操作においては、移動経路や移動手段等の移動時間を特定するための情報が入力される。そして、再生条件設定部１２０が入力された情報に基づいて特定した移動時間が、再生条件として操作画面１５１に表示される。
【００４５】
操作画面１５１において、取得条件が入力された後に決定ボタン１５１ｂが選択されると、入力された取得条件と共に、音響コンテンツの取得要求が、端末装置１００からコンテンツサーバ２００へ送信される。また、終了ボタン１５１ｃが選択されると、音響コンテンツの取得要求を送信することなく、操作画面１５１が閉じて操作が終了する。
【００４６】
リストから音響コンテンツを選択するための操作画面１５２は、図６（Ｂ）に示すように、リスト表示部１５２ａと、決定ボタン１５２ｂと、終了ボタン１５２ｃとを有する。リスト表示部１５２ａには、コンテンツサーバ２００から受信した音響コンテンツのリストが表示される。このリストに含まれる音響コンテンツは、図６（Ａ）に示した操作画面１５１により入力された取得条件に対応する音響コンテンツである。ユーザは、操作デバイスを操作して、リストの中から音響コンテンツを選択する。
【００４７】
操作画面１５２において、音響コンテンツが選択された後に決定ボタン１５２ｂが選択されると、選択された音響コンテンツを取得対象として指定する情報が、端末装置１００からコンテンツサーバ２００へ送信される。また、終了ボタン１５２ｃが選択されると、音響コンテンツを指定する情報を送信することなく、操作画面１５２が閉じて操作が終了する。
【００４８】
＜端末装置の音響コンテンツ再生時の動作＞
図７は、端末装置１００による音響コンテンツ再生時の動作を示すフローチャートである。端末装置１００の再生制御部１４０は、ユーザによる音響コンテンツの再生開始の指示を受け付けると（Ｓ７０１）、音響コンテンツの長さＣＬと再生条件として設定された時間Ｌ０とを比較し、差分Ｄを抽出する（Ｓ７０２）。そして、再生制御部１４０は、音響コンテンツの長さＣＬと再生条件の時間Ｌ０とを比較し、長さＣＬが時間Ｌ０以下である場合（Ｓ７０３でＮＯ）、次に再生制御部１４０は、Ｓ７０２で抽出した差分Ｄと第２範囲Ｄ２とを比較する。
【００４９】
差分Ｄが第２範囲Ｄ２以下である場合（Ｓ７０４でＮＯ）、再生制御部１４０は、この音響コンテンツを通常再生する（Ｓ７０５）。一方、音響コンテンツの長さＣＬが再生条件の時間Ｌ０よりも大きい場合（Ｓ７０３でＹＥＳ）、または、差分Ｄが第２範囲Ｄ２よりも大きい場合（Ｓ７０４でＹＥＳ）、再生制御部１４０は、長さＣＬが時間Ｌ０以下で、かつ、差分Ｄが第２範囲Ｄ２以下となるように制御して音響コンテンツを再生する（Ｓ７０６）。そして、音響コンテンツの再生が終了したならば、再生制御部１４０は、再生時の動作を終了する（Ｓ７０７）。
【００５０】
＜適用例＞
本実施形態のコンテンツ再生システムは、通勤等の移動時、いわゆるオーディオ・ブック等のテキストが朗読された音声コンテンツや、心身をリラックスさせる楽曲等の音響コンテンツを再生する場合に適用し得る。通勤の場合、経路がある程度特定されるため、通勤全体に要する時間や通勤中に交通機関を利用する場合の利用時間を予想しやすい。したがって、再生条件を設定し音響コンテンツを選択することが容易である。また、頻繁に利用される移動の履歴データを蓄積し、統計的手法により移動時間を推定し、再生条件を設定しても良い。
【００５１】
音響コンテンツとしてニュース等の報道コンテンツ等を選択する場合、複数のニュースサイト等から同一内容の音響コンテンツが提供され、コンテンツサーバ２００において取得可能である場合があり得る。このような場合、音響コンテンツの要求時に取得条件における識別情報としてニュースの内容を特定する情報を入力すれば、同一のニュースに関する複数の音響コンテンツのうち、再生条件の時間に対応する長さの音響コンテンツが選択されて再生されることとなる。
【００５２】
以上、本発明の実施形態について説明したが、本発明の技術的範囲は上記実施形態には限定されない。例えば、上記の実施形態では、端末装置１００が、ユーザが移動に要する時間（移動時間）を特定する情報の入力を受け付け、入力情報に基づいて特定される移動時間を再生条件として設定する構成とした。これに対し、ユーザが音響コンテンツを再生する時間を手入力にて直接入力することが可能な構成としても良い。
【００５３】
また、上記の実施形態では、端末装置１００からの音響コンテンツの取得要求に対し、コンテンツサーバ２００は、まず、取得条件に該当する音響コンテンツのリストを端末装置１００へ返送し、このリストの中から選択された音響コンテンツを送信した。これに対し、音響コンテンツのリストを用いず、最初から端末装置１００において特定の音響コンテンツを指定し、コンテンツサーバ２００から取得するようにしても良い。また、端末装置１００からの音響コンテンツの取得要求に対し、コンテンツサーバ２００が、リストを作成せずに、提供する音響コンテンツを特定して端末装置１００へ送信するようにしても良い。その他、本発明の技術思想の範囲から逸脱しない様々な変更や構成の代替は、本発明に含まれる。
【符号の説明】
【００５４】
１００…端末装置、１１０…コンテンツ選択部、１２０…再生条件設定部、１３０…コンテンツ取得部、１４０…再生制御部、１５０…表示部、１６０…操作受け付け部、１７０…通信部、２００…コンテンツサーバ、２１０…通信制御部、２２０…コンテンツ保持部、２３０…コンテンツ管理部、２４０…コンテンツ配信制御部、２５０…通信部、３００…ネットワーク
【図１】
2020085929.tif 000003
【図２】
2020085929.tif 000004
【図３】
2020085929.tif 000005
【図４】
2020085929.tif 000006
【図５】
2020085929.tif 000007
【図６】
2020085929.tif 000008
【図７】
2020085929.tif 000009